(57)【特許請求の範囲】
【請求項１】
底部に下方に突出する排水口部が形成された合成樹脂製の洗面ボウルと、この洗面ボウルの前記排水口部に通じる排水筒と、一端開口の周縁に内方に突出する内鍔部が形成された袋ナットを備え、前記排水口部の下面内周部に下方に突出する突出部が形成され、前記排水口部が前記袋ナットの内側に前記内鍔部の中央に形成された挿入孔を経て挿入され、前記排水口部の外周面に設けられた抜止部材に前記内鍔部の下面が引っ掛けられると共に、前記袋ナットの内周面に形成された雌ねじ部に前記排水筒の外周面に形成された雄ねじ部が螺合され、前記突出部の外周面に沿って配置されたパッキンが、前記排水筒の上面と、前記突出部の周囲に位置する、前記排水口部の下面外周部とで上下に圧縮されたことを特徴とする排水構造。
【請求項２】
前記排水口部の外周面に凹部が形成され、前記抜止部材が前記凹部に嵌め込まれることで前記排水口部に取り付けられたことを特徴とする請求項１に記載の排水構造。
【発明の詳細な説明】
【技術分野】
【０００１】
本発明は洗面ボウルの排水構造に関する。
【背景技術】
【０００２】
従来の洗面ボウルの排水構造としては、特許文献１に示されるものが知られている。この排水構造では、洗面ボウルの底部に形成された排水口部の周縁部上に、排水筒の上端部外周面に形成されたフランジ部が配置される。前記排水筒の下部にはナットが取り付けられ、このナットと前記フランジ部で洗面ボウルの底部を挟み込むことで、排水筒が排水口部に接続される。この排水構造では、排水筒の鍔部と洗面ボウルの境界部分が洗面ボウルの内面側に露出し、またこの境界部分に溜まったゴミは目立ちやすく、見栄えが良くない。
【０００３】
また、特許文献２には他の排水構造が開示されている。この排水構造では、排水口部にインサート成形によりインサートナットが設けられている。このインサートナットの雌ねじ部には排水筒の外周面に形成された雄ねじ部がねじ込まれ、これによって排水筒が排水口部に接続される。しかし、この排水構造では、洗面ボウルにインサート成形によりインサートナットを設ける必要があり、洗面ボウルの製造コストが増す。また、インサートナットの雌ねじ部のねじ山が潰れた場合には洗面ボウルごと交換する必要がある。
【先行技術文献】
【特許文献】
【０００４】
【特許文献１】特開昭５５−０３２８７４号公報
【特許文献２】特開２０００−３３６７２３号公報
【発明の概要】
【発明が解決しようとする課題】
【０００５】
本発明は前記事情に鑑みてなされたものであって、見栄えが良く、洗面ボウルの製造コストを抑えることができ、ナットのねじ山が潰れたとしても洗面ボウルごと交換する必要がない排水構造を提供することを課題とする。
【課題を解決するための手段】
【０００６】
前記課題を解決するために本発明の排水構造は、底部に下方に突出する排水口部が形成された洗面ボウルと、この洗面ボウルの前記排水口部に通じる排水筒と、一端開口の周縁に内方に突出する内鍔部が形成された袋ナットを備え、前記排水口部の下面内周部に下方に突出する突出部が形成され、前記排水口部が前記袋ナットの内側に前記内鍔部の中央に形成された挿入孔を経て挿入され、前記排水口部の外周面に設けられた抜止部材に前記内鍔部の下面が引っ掛けられると共に、前記袋ナットの内周面に形成された雌ねじ部に前記排水筒の外周面に形成された雄ねじ部が螺合され、前記突出部の外周面に沿って配置されたパッキンが、前記排水筒の上面と、前記突出部の周囲に位置する、前記排水口部の下面外周部とで上下に圧縮されたことを特徴とする。
また、前記排水口部の外周面に凹部が形成され、前記抜止部材が前記凹部に嵌め込まれることで前記排水口部に取り付けられることが好ましい。
【発明の効果】
【０００７】
本発明の排水構造にあっては、見栄えが良く、洗面ボウルの製造コストを抑えることができ、ナットのねじ山が潰れたとしても洗面ボウルごと交換する必要がない。
【図面の簡単な説明】
【０００８】
【図１】本発明の洗面ボウルの排水構造を示す断面図である。
【図２】図１のＡ部拡大図である。
【図３】抜止部材を示し、（ａ）は底面図であり、（ｂ）は正面図である。
【図４】袋ナットを示し、（ａ）は底面図であり、（ｂ）は正面図である。
【発明を実施するための形態】
【０００９】
以下、本発明の排水構造について説明する。図１は本実施形態の洗面ボウル１の排水構造を示す断面図である。
【００１０】
洗面ボウル１は合成樹脂製であって、洗面ボウル１の底部には下方に突出する円筒状の排水口部２が形成されている。排水口部２には洗面ボウル１内に供給された水が供給されるようになっている。
【００１１】
図２に示されるように排水口部２の下面内周部には下方に突出する円環状の突出部３が形成されている。突出部３の下面は排水口部２の下端面を構成し、水平な被当接面６となっている。突出部３の外周面は下方程漸次小径となるテーパー面４となっている。突出部３の周囲に位置する排水口部２の下面外周部は、被当接面６よりも一段高い水平な上挟持面５を構成している。排水口部２の下面外周縁部には、前記上挟持面５及びテーパー面４からなる、下方及び外方に開口した段部２４が形成されている。また、排水口部２の外周面において段部２４よりも上方の位置には排水口部２の全周に亘る凹部７が形成されている。
【００１２】
図１に示されるように洗面ボウル１の排水口部２には前記排水口部２に供給された水を排出するための排水筒９が接続されている。本実施形態の排水構造では、排水筒９の接続にあたって、洗面ボウル１とは別体の袋ナット１７、加えて、抜止部材８、及びパッキン３３が用いられている。
【００１３】
図４に示されるように、袋ナット１７は、内周面に雌ねじ部２２が形成された周壁部２３の一端開口縁に内方に向けて突出する円環状の内鍔部２０が形成されたものであり、内鍔部２０の中央には挿入孔２１が形成されている。
【００１４】
袋ナット１７は、図１のように、内鍔部２０を上にした状態で用いられ、袋ナット１７の内側には上方から洗面ボウル１の排水口部２が挿入孔２１を経て挿入されている。
【００１５】
図４のように内鍔部２０の下面内周縁部には下方及び内方に開口した段凹部２６が全周に亘って形成されている。段凹部２６の上底面は水平な押圧面２５となっている。
【００１６】
抜止部材８はポリアセタール製であって弾性を有し、図３（ａ）に示されるように平面視Ｃ字状に形成されている。抜止部材８は外周部を構成するシール部１９と、内周部を構成する嵌込部１８で構成されている。図３（ｂ）に示されるように嵌込部１８はシール部１９の上部から内方に向けて突出し、抜止部材８の周方向から見た断面形状は略逆Ｌ字状になっている。
【００１７】
図２のように抜止部材８は、嵌込部１８を前記排水口部２の外周面に形成された凹部７に嵌め込むことで、排水口部２の外周の全長に亘って設けられている。
【００１８】
シール部１９の上部外周縁部は被押圧部２７を構成し、該被押圧部２７は前記袋ナット１７の内鍔部２０に形成された段凹部２６に配置されている。
【００１９】
図１のように排水筒９の縦筒部１２の下端部は連結管１６の上端部に接続されている。連結管１６の下流側は図示しない排水管に接続されており、排水筒９に供給された水は前記連結管１６及び排水管を介して排出される。本実施形態の排水筒９は排水栓として利用されるものであって、排水筒９にはヘアキャッチャー１０やポップアップ式の排水弁１１が設けられている。
【００２０】
排水筒９は合成樹脂製であって排水口部２に通じる円筒状の縦筒部１２で主体が構成されている。縦筒部１２の内径は排水口部２の下端開口径と同じ寸法となっており、縦筒部１２の内周面は排水口部２の内周面と面一となっている。
【００２１】
図２にも示されるように縦筒部１２の上端部には外方に突出するフランジ部２８が全周に亘って形成され、フランジ部２８の上面と縦筒部１２の上端面で、排水口部２の下面に対向する対向面３５が構成されている。なお、図２中３７は、縦筒部１２の外周面に複数形成されて、縦筒部１２とフランジ部２８の下面を接続する補強用のリブである。
【００２２】
対向面３５の内周部、詳しくは縦筒部１２の上端面には、わずかに上方に突出する突当部３１が全周に亘って形成されている。突当部３１は縦筒部１２と同心の平面視円環状に形成され、図２のように突当部３１の上面は排水口部２の被当接面６に接している。
【００２３】
対向面３５において前記平面視円環状の突当部３１の外側に位置する箇所は水平な下挟持面３２を構成している。下挟持面３２上には平面視円環状のパッキン３３が配置されている。
【００２４】
フランジ部２８の外周縁には上方に突出する雄ねじ筒部２９が形成され、雄ねじ筒部２９の外周面には雄ねじ部３０が形成されている。
【００２５】
袋ナット１７は雌ねじ部２２を排水筒９の雄ねじ部３０に螺合させて雄ねじ筒部２９に締めつけることにより排水筒９に接続されている。このように袋ナット１７を雄ねじ筒部２９に締めつけることにより、袋ナット１７の押圧面２５で抜止部材８の被押圧部２７が下側に押圧される。この際、抜止部材８は袋ナット１７の段凹部２６と排水口部２の外周面の間で圧縮されて排水口部２の外周面に押し付けられると共に、シール部１９により段凹部２６と排水口部２の間がシールされる。これにより、抜止部材８は排水口部２の外周面に対して強固に固定される。この抜止部材８のシール部１９の上面に袋ナット１７の内鍔部２０の下面が引っ掛けられ、これによって排水筒９が接続された袋ナット１７は排水口部２から下方に脱落することが防止された状態で排水口部２に対して強固に固定される。
【００２６】
前記パッキン３３は、排水筒９の下挟持面３２と排水口部２の上挟持面５とで上下に圧縮されている。
【００２７】
パッキン３３の内周面の下端部は突当部３１の外周面に接している。また、パッキン３３の突当部３１よりも上方の内周面は上方程漸次大径となる傾斜面３６とされ、この傾斜面３６は排水口部２のテーパー面４に接している。これにより前記圧縮されたパッキン３３が突当部３１と被当接面６の間から排水口部２内側に飛び出ることが防止されている。そして、前記上下に圧縮されたパッキン３３により下挟持面３２と上挟持面５の間がシールされている。
【００２８】
なお、図示例では雄ねじ筒部２９の上端部は抜止部材８と接していないが、該雄ねじ筒部２９の上端部と袋ナット１７の内鍔部２０で抜止部材８を圧縮してこの間がシールされるようにしても構わない。また、袋ナット１７を排水筒９の雄ねじ筒部２９に締め込んで被当接面６で突当部３１を下方に押し込むことにより、排水筒９の突当部３１よりも内側に位置する縦筒部１２上端面を排水口部２の被当接面６に当接させてもよい。
【００２９】
また、図１のように縦筒部１２には側方に突出する接続口部１３が一体に形成されている。接続口部１３には洗面ボウル１に設けられた図示しないオーバーフロー孔に連通する接続管１４の下流側端部が接続されている。これにより洗面ボウル１内からオーバーフロー孔に流れ込んだ水は接続管１４を介して縦筒部１２に流入し、排水口部２から供給された排水と同様に連結管１６及び排水管を介して排出される。
【００３０】
前記排水筒９を洗面ボウル１の排水口部２に接続する作業は例えば以下のように行われる。まず、袋ナット１７を内鍔部２０を上にして遊びがある状態で排水口部２の外側に嵌め込み、内鍔部２０を排水口部２の凹部７よりも上方に配置する。続いて、抜止部材８の嵌込部１８を排水口部２の凹部７に嵌め込み、排水口部２の外周面に抜止部材８を取り付ける。次に、袋ナット１７の下方に排水筒９を配置し、続いて袋ナット１７を排水口部２回りに回転することで、袋ナット１７の雌ねじ部２２に排水筒９の上端部に設けられた雄ねじ部３０を螺合する。そして、この袋ナット１７を締め込んで、抜止部材８を袋ナット１７と排水口部２で圧縮すると共に、パッキン３３を排水口部２と排水筒９で圧縮する。このようにして、排水筒９は排水口部２に接続される。なお、前記パッキン３３は、排水口部２に接続する前の排水筒９の下挟持面３２上に載置してあってもよいし、排水筒９が接続される前の洗面ボウル１の突出部３外側に嵌め込んで取り付けてあってもよい。
【００３１】
以上説明した本実施形態の排水構造は、排水口部２の外周面に設けられた抜止部材８に袋ナット１７の内鍔部２０の下面が引っ掛けられると共に、袋ナット１７の雌ねじ部２２に排水筒９の雄ねじ部３０が螺合されている。この排水構造では、洗面ボウル１と排水筒９の境界部分を、洗面ボウル１の排水口部２の下端部と排水筒９の上端部の間とし、洗面ボウル１の内面側に露出しないようにでき、見栄えが良い。また、洗面ボウル１にインサート成形によりナットを設ける必要がなく、洗面ボウルの製造コストを抑えることができる。また袋ナット１７の雌ねじ部２２のねじ山が潰れた場合には袋ナット１７を交換するだけで対応できる。
【００３２】
また、本実施形態では、抜止部材８が排水口部２の外周面に形成された凹部７に嵌め込むことで排水口部２に取り付けることができ、抜止部材８を容易に排水口部２に取り付けることができる。
【００３３】
なお、本実施形態では、抜止部材８を排水口部２の外周面に形成された凹部７に嵌め込むことで排水口部２に取り付けたが、抜止部材８は排水口部２の外周面にその他の手段で取り付けられるものであってもよい。例えば、略環状の抜止部材８の内径を排水口部２の外径よりもやや小さくして、抜止部材８を排水口部２の外周面に弾性的に接触させること等が考えられる。
【００３４】
また、本実施形態の抜止部材８は弾性を有するものであるが、抜止部材８は剛性の高いものであっても構わない。また、本実施形態では、抜止部材８を有端環状に形成したが、無端環状に形成してもよい。
【符号の説明】
【００３５】
１  洗面ボウル
２  排水口部
７  凹部
８  抜止部材
９  排水筒
１７  袋ナット
２０  内鍔部
２１  挿入孔
２２  雌ねじ部
３０  雄ねじ部
【図１】
0005763910.tif 000002
【図２】
0005763910.tif 000003
【図３】
0005763910.tif 000004
【図４】
0005763910.tif 000005